【事件の表示】
　平成　４年特許願第　７２６３８号「自動演奏装置及び自動演奏制御方法」拒絶査定に対する審判事件〔平成　５年　９月１０日出願公開、特開平　５−２３２９４８、請求項の数（１２）〕について、次のとおり審決する。
【結　論】
　原査定を取り消す。
　本願の発明は、特許すべきものとする。
【理　由】
第１　本願発明
　
　本願は、平成４年２月２１日の出願であって、その請求項１乃至１２に係る発明（以下「本願発明」という）は、平成１２年８月２８日、平成１３年３月１４日、平成１４年９月２４日付けの手続補正書により補正された明細書および図面の記載からみて、特許請求の範囲の請求項１乃至１２に記載された次のとおりのものと認める。
「【請求項１】　時刻表示機能と自動演奏機能とを装置本体に備えた自動演奏装置において、
　前記装置本体は、
　第１、第２および第３のモードのいずれかを設定するモード設定手段と、
　データを表示する表示手段と、
　外部に記憶されている自動演奏データに係る番組に対応するチャンネルの番号を示すチャンネル番号を複数記憶している第１の記憶手段と、
　現在時刻を計時する計時手段と、
　前記第１の記憶手段により記憶されている複数のチャンネル番号のなかから一つの複数のチャンネル番号を前記第１の記憶手段から読み出し、この読み出されたチャンネル番号に対応する番組の自動演奏データを前記外部から受信する受信手段と、
　前記モード設定手段により第１のモードが設定されていることを条件に、前記受信手段により受信された自動演奏データ、この自動演奏データに用いられる音色を示す音色番号データ、および、前記自動演奏データの演奏時間を示す自動演奏時間データを対応づけて第２の記憶手段に複数組記憶させる第１の制御手段と、
　自動演奏データに従って自動演奏音を発生する楽音発生手段と、
　前記モード設定手段により第２のモードが設定された際に、前記計時手段により計時されている現在時刻を前記表示手段に表示させるように制御する第２の制御手段と、
　前記モード設定手段により第３のモードが設定されていることを条件に、前記第２の記憶手段に記憶されている複数組の自動演奏データおよび音色番号データのなかから選択された一組の自動演奏データおよび音色番号データを読み出し、この読み出された自動演奏データと前記音色番号データとを前記楽音発生手段に送出し、前記自動演奏データに従った自動演奏音を、前記自動演奏時間データで示される演奏時間、前記音色番号データで示される音色で再生出力させるように制御するとともに、前記自動演奏データに関連する関連データを前記表示手段に表示させるように制御する第３の制御手段と、
　を備えていることを特徴とする自動演奏装置。
　　【請求項２】　時刻表示機能と自動演奏機能とを装置本体に備えた自動演奏装置において、
　前記装置本体は、
　第１、第２および第３のモードのいずれかを設定するモード設定手段と、
　データを表示する表示手段と、
　音高、音長を含む自動演奏データ、音色の種類を示す音色番号、および、自動演奏時間を示す自動演奏時間データを記憶する記憶手段と、
　現在時刻を計時する計時手段と、
　外部から送られてきた自動演奏データを受信する受信手段と、
　前記モード設定手段により第１のモードが設定されていることを条件に、前記受信手段により受信された自動演奏データ、この自動演奏データに用いられる音色の種類を示す音色番号データ、および、この自動演奏データの演奏時間を示す自動演奏時間データを対応づけて前記記憶手段に複数組記憶させる第１の制御手段と、
　自動演奏データに従って自動演奏音を発生する楽音発生手段と、
　前記モード設定手段により第２のモードが設定された際に、前記計時手段により計時されている現在時刻を前記表示手段に表示させるように制御する第２の制御手段と、
　前記モード設定手段により第３のモードが設定されていることを条件に、前記記憶手段に記憶されている複数組の自動演奏データおよび音色番号データのなかから選択された一組の自動演奏データおよび音色番号データを読み出し、この読み出された自動演奏データと前記音色番号データとを前記楽音発生手段に送出し、前記自動演奏データに従った自動演奏音を、前記自動演奏時間データで示される演奏時間、前記音色番号データで示される音色で再生出力させるように制御するとともに、前記自動演奏データに関連する関連データを前記表示手段に表示させるように制御する第３の制御手段と、
　を備えていることを特徴とする自動演奏装置。
　　【請求項３】　時刻表示機能と自動演奏機能とを装置本体に備えた自動演奏装置において、
　前記装置本体は、
　第１、第２および第３のモードのいずれかを設定するモード設定手段と、
　データを表示する表示手段と、
　現在時刻を計時する計時手段と、
　自動演奏データを外部から受信する受信手段と、
　前記モード設定手段により第１のモードが設定されていることを条件に、前記受信手段により受信された自動演奏データ、この自動演奏データに用いられる音色を示す音色番号データ、および、前記自動演奏データの演奏時間を示す自動演奏時間データを対応づけて記憶手段に複数組記憶させる第１の制御手段と、
　自動演奏データに従って自動演奏音を発生する楽音発生手段と、
　前記モード設定手段により第２のモードが設定された際に、前記計時手段により計時されている現在時刻を前記表示手段に表示させるように制御する第２の制御手段と、
　前記モード設定手段により第３のモードが設定されていることを条件に、前記記憶手段に記憶されている複数組の自動演奏データおよび音色番号データのなかから選択された一組の自動演奏データおよび音色番号データを読み出し、この読み出された自動演奏データと前記音色番号データとを前記楽音発生手段に送出し、前記自動演奏データに従った自動演奏音を、前記自動演奏時間データで示される演奏時間、前記音色番号データで示される音色で再生出力させるように制御する第３の制御手段と、
　を備えていることを特徴とする自動演奏装置。
　　【請求項４】　請求項２または請求項３に記載の自動演奏装置において、
　前記記憶手段は、前記装置本体に着脱可能に設けられていることを特徴とする自動演奏装置。
　　【請求項５】　請求項２または請求項３に記載の自動演奏装置において、
　前記装置本体は、使用者の腕に装着される電子機器本体であることを特徴とする自動演奏装置。
　　【請求項６】　請求項５に記載の自動演奏装置において、
　前記電子機器本体は、腕時計型本体であり、この腕時計本体は、時計本体、この時計本体を使用者の腕に装着させるための時計バンド、および前記時計本体から引き出されたイヤホンコードの先端に設けられたイヤホンとを備えていることを特徴とする自動演奏装置。
　　【請求項７】　第１、第２および第３のモードのいずれかを設定するモード設定手段とデータを表示する表示手段とを装置本体に備えた自動演奏装置に用いられる自動演奏制御方法において、
　現在時刻を計時する計時ステップと、
　外部に記憶されている自動演奏データに係る番組に対応するチャンネルの番号を示すチャンネル番号を複数記憶している第１の記憶手段を制御し、この第１の記憶手段に記憶されている複数のチャンネル番号のなかから一つの複数のチャンネル番号を前記第１の記憶手段から読み出し、この読み出されたチャンネル番号に対応する番組の自動演奏データを前記外部から受信する受信ステップと、
　前記モード設定手段により第１のモードが設定されていることを条件に、前記受信ステップにより受信された自動演奏データ、この自動演奏データに用いられる音色を示す音色番号データ、および、前記自動演奏データの演奏時間を示す自動演奏時間データを対応づけて第２の記憶手段に複数組記憶させる第１の制御ステップと、
　前記モード設定手段により第２のモードが設定された際に、前記計時ステップにより計時されている現在時刻を表示手段に表示させるように制御する第２の制御ステップと、
　前記モード設定手段により第３のモードが設定されていることを条件に、前記第２の記憶手段に記憶されている複数組の自動演奏データおよび音色番号データのなかから選択された一組の自動演奏データおよび音色番号データを読み出し、この読み出された自動演奏データと前記音色番号データとを、自動演奏データに従って自動演奏音を発生するための楽音発生手段に送出し、前記自動演奏データに従った自動演奏音を、前記自動演奏時間データで示される演奏時間、前記音色番号データで示される音色で再生出力させるように制御するとともに、前記自動演奏データに関連する関連データを前記表示手段に表示させるように制御する第３の制御ステップと、
　を備えていることを特徴とする自動演奏制御方法。
　　【請求項８】　第１、第２および第３のモードのいずれかを設定するモード設定手段、データを表示する表示手段、および、データを記憶する記憶手段を装置本体に備えた自動演奏装置に用いられる自動演奏制御方法おいて、
　現在時刻を計時する計時ステップと、
　自動演奏データを外部から受信する受信ステップと、
　前記モード設定手段により第１のモードが設定されていることを条件に、前記受信ステップにより受信された自動演奏データ、この自動演奏データに用いられる音色を示す音色番号データ、および、前記自動演奏データの演奏時間を示す自動演奏時間データを対応づけて前記記憶手段に複数組記憶させる第１の制御ステップと、
　前記モード設定手段により第２のモードが設定された際に、前記計時ステップにより計時されている現在時刻を前記表示手段に表示させるように制御する第２の制御ステップと、
　前記モード設定手段により第３のモードが設定されていることを条件に、前記記憶手段に記憶されている複数組の自動演奏データおよび音色番号データのなかから選択された一組の自動演奏データおよび音色番号データを読み出し、この読み出された自動演奏データと前記音色番号データとを、自動演奏データに従って自動演奏音を発生する楽音発生手段に送出し、前記自動演奏データに従った自動演奏音を、前記自動演奏時間データで示される演奏時間、前記音色番号データで示される音色で再生出力させるように制御するとともに、前記自動演奏データに関連する関連データを前記表示手段に表示させるように制御する第３の制御ステップと、
　を備えていることを特徴とする自動演奏制御方法。
　　【請求項９】　第１、第２および第３のモードのいずれかを設定するモード設定手段、データを表示する表示手段、および、データを記憶する記憶手段を装置本体に備えた自動演奏装置に用いられる自動演奏制御方法おいて、
　現在時刻を計時する計時ステップと、
　自動演奏データを外部から受信する受信ステップと、
　前記モード設定手段により第１のモードが設定されていることを条件に、前記受信ステップにより受信された自動演奏データ、この自動演奏データに用いられる音色を示す音色番号データ、および、前記自動演奏データの演奏時間を示す自動演奏時間データを対応づけて前記記憶手段に複数組記憶させる第１の制御ステップと、
　前記モード設定手段により第２のモードが設定された際に、前記計時ステップにより計時されている現在時刻を前記表示手段に表示させるように制御する第２の制御ステップと、
　前記モード設定手段により第３のモードが設定されていることを条件に、前記記憶手段に記憶されている複数組の自動演奏データおよび音色番号データのなかから選択された一組の自動演奏データおよび音色番号データを読み出し、この読み出された自動演奏データと前記音色番号データとを、自動演奏データに従って自動演奏音を発生する楽音発生手段に送出し、前記自動演奏データに従った自動演奏音を、前記自動演奏時間データで示される演奏時間、前記音色番号データで示される音色で再生出力させるように制御する第３の制御ステップと、
　を備えていることを特徴とする自動演奏制御方法。
　　【請求項１０】　請求項８または請求項９に記載の自動演奏制御方法において、
　前記記憶手段は、前記装置本体に着脱可能に設けられていることを特徴とする自動演奏制御方法。
　　【請求項１１】　請求項８または請求項９に記載の自動演奏制御方法において、
　前記装置本体は、使用者の腕に装着される電子機器本体であることを特徴とする自動演奏制御方法。
　　【請求項１２】　請求項１１に記載の自動演奏制御方法において、
　前記電子機器本体は、腕時計型本体であり、この腕時計本体は、時計本体、この時計本体を使用者の腕に装着させるための時計バンド、および前記時計本体から引き出されたイヤホンコードの先端に設けられたイヤホンとを備えていることを特徴とする自動演奏制御方法。」
　
第２　刊行物発明、及び、本願発明と刊行物発明との対比・検討
　
１　刊行物
　当審の拒絶理由で引用した刊行物１乃至１２は次に掲げるものである。
　
　　刊行物１：特開昭５７−１１６２８４号公報
　　刊行物２：特開昭５７−２６８９６号公報
　　刊行物３：特開昭５６−９０２８６号公報
　　刊行物４：特開昭６３−１５９８９８号公報
　　刊行物５：特開昭６１−２００７８６号公報
　　刊行物６：特開平３−２３４９９号公報
　　刊行物７：特開昭５６−１１４９９８号公報
　　刊行物８：実願昭６０−７３９２２号（実開昭６１−１８９２９７号）のマイクロフイルム
　　刊行物９：特開平５８−２８６８６号公報
　　刊行物１０：特開昭６２−９２８９号公報
　　刊行物１１実願昭６１−１５４９８５号（実開昭６３−６０９９１号）のマイクロフイルム
　　刊行物１２：特開昭６０−１９８９２５号公報
　　
　刊行物１には、名称を「電子時計」とする発明について、（ａ）上記発明に係る電子時計は、通常の時刻表示機能の他に、作曲回路と音楽発生回路と音符表示回路等から成る音楽演奏機能を有し、前記作曲回路が音楽データＲＡＭとデコーダ回路から成り、外部操作部材によって前記音楽データＲＡＭの内容を書き換えることができるようにしたものであること、（ｂ）外部操作部材として、モードスイッチ１０，音の高さを指定するスイッチ１１，音の長さを指定するスイッチ１２，音符を入力する時に操作するスイッチ１３が設けられ、モードスイッチ１０を１回押して作曲モードにすると、上記イッチ１１を押す回数により音高が、上記スイッチ１２を押す回数により音長がそれぞれ指定され、上記スイッチ１３を押すことで指定された音高と音長の音符の記憶（上記音楽データＲＡＭへの記憶）がなされ、このようにして次々に音符を入力して記憶することで作曲がなされると共に、音符表示回路２１によって五線譜上に作曲した音符が表示され、その後、更にモードスイッチ１０を１回押すと、デモンストレーションモードとなり、作曲した音楽が演奏できること、（ｃ）作曲した音楽を演奏する場合、音楽データＲＡＭ１９の音楽データが音楽発生回路２０に入力され、スピーカ２５に音楽発生信号を出力して音楽演奏がなされると共に、音楽発生信号が音符表示回路２１にも入力されて、作曲した音符の五線譜上での表示がなされることが記載されており、
　刊行物２、３には、刊行物１記載のものと同様の自動演奏機能を備えた電子時計において、そのモード設定として、自動演奏機能を遂行する上でのモード（自動演奏データを記憶するモードや記憶データを読み出して自動演奏するモード）の設定の他に、現在時刻を表示するモードの設定をも行うようになすことが記載されており、
　刊行物４には、外部から受信した自動演奏データとこの自動演奏データに用いられる音色を示す音色番号データとを対応付けてメモリに記憶させ、自動演奏時における自動演奏音を上記音色番号データで示される音色で再生出力させるようにすることが記載されており、
　刊行物５、６には、楽音の自動演奏データについても、その記憶メモリに外部から受信したデータを入力するようになすことが記載されており、
　刊行物７には、自動演奏モードにおいて演奏開始指令スイッチを操作することで、自動演奏データをメモリから読み出して自動演奏を開始させるようにすることが記載されており、
　刊行物８には、プリセット自動受信可能な選局手段が記載されており、
　刊行物９、１０には、半導体メモリを必要に応じて装置本体（例えば刊行物１記載もののような電子時計本体）に着脱可能なものとすることが記載されており、
　刊行物１１、１２には、腕時計本体に音響聴取用のイヤホンを備えたものが記載されている。
　　
　２　本願発明と刊行物発明との対比・検討
　
　本願発明と刊行物１乃至１２の発明とを対比・検討すると、刊行物１乃至１２の発明は、本願発明における次に掲げる主要な事項を具備していないし、刊行物１乃至１２には、この主要な事項を示唆する記載もなされていない。
「受信された自動演奏データ、この自動演奏データに用いられる音色の種類を示す音色番号データ、および、この自動演奏データの演奏時間を示す自動演奏時間データを対応づけて複数組記憶させる」点、および、「記憶されている複数組の自動演奏データおよび音色番号データのなかから選択された一組の自動演奏データおよび音色番号データを読み出し、この読み出された自動演奏データと前記音色番号データとを前記楽音発生手段に送出し、前記自動演奏データに従った自動演奏音を、前記自動演奏時間データで示される演奏時間、前記音色番号データで示される音色で再生出力させるように制御する」点
　そして、これにより、本願発明は、上記刊行物に記載のものにはない、明細書記載の顕著な効果を奏している。
　したがって、本願発明は、刊行物の発明１乃至１２に基いて当業者が容易に発明をすることができたものということはできない。
　なお、原審で提示された他の刊行物にも上記主要な事項について記載も示唆もない。
　
第３　むすび
　
　以上、本願発明は、刊行物発明に基いて当業者が容易に発明をすることができたものということはできない。
　また、他に本願発明に係る特許を拒絶する理由を発見しない。
　よって、結論のとおり審決する。